(57)【要約】  【課題】  使用者に過度な負担をかけることなく小鳥に飲水および水浴の両方を行わせることができる便利な小鳥用給水装置を提供する。  【解決手段】  小鳥用給水装置１０は、水を内部に溜めるための水タンク２０と、水タンク２０から供給される水を溜めて小鳥に飲水および水浴を行わせるための水トレー３０とを備え、水タンク２０は、水を水トレー３０に供給するための水供給用スリット２０ａが形成され、水供給用スリット２０ａは、矢印２０ｃで示す長手方向に直交する矢印２０ｄで示す方向における幅が膨らんでいる膨らみ部２０ｇを有し、矢印２０ｃで示す長手方向の両端である上端２０ｅおよび下端２０ｆの矢印１０ａで示す鉛直方向における位置が異なり、膨らみ部２０ｇは、水供給用スリット２０ａにおいて矢印１０ａで示す鉛直方向における位置が上部の位置に配置されていることを特徴とする。【選択図】  図５
2010178680.tif 000002
【特許請求の範囲】
【請求項１】
水を内部に溜めるための水タンクと、前記水タンクから供給される前記水を溜めて小鳥に飲水および水浴を行わせるための水トレーとを備え、
前記水タンクは、前記水を前記水トレーに供給するための水供給用スリットが形成され、
前記水供給用スリットは、長手方向に直交する方向における幅が膨らんでいる膨らみ部を有し、前記長手方向の両端の鉛直方向における位置が異なり、
前記膨らみ部は、前記水供給用スリットにおいて鉛直方向における位置が上部の位置に配置されていることを特徴とする小鳥用給水装置。
【請求項２】
前記長手方向における前記水供給用スリットの長さは、その長さを直径とする丸穴を前記水供給用スリットと置き換えると仮定した場合に前記水タンク内の前記水が前記丸穴において表面張力によって保持される長さであることを特徴とする請求項１に記載の小鳥用給水装置。
【請求項３】
前記水タンクは、内部に水が入れられるための水入れ口と、前記水入れ口を塞ぐ塞口部材とを有しており、
前記水入れ口は、鉛直方向における位置が前記水供給用スリットより上に配置されていることを特徴とする請求項１または請求項２に記載の小鳥用給水装置。
【発明の詳細な説明】
【技術分野】
【０００１】
本発明は、小鳥に水を与えるための小鳥用給水装置に関する。
【背景技術】
【０００２】
従来の小鳥用給水装置として、水を内部に溜めるための水タンクと、水タンクから供給される水を溜めて小鳥に飲水を行わせるための水トレーとを備えているものが知られている（例えば、特許文献１参照。）。
【先行技術文献】
【特許文献】
【０００３】
【特許文献１】特開平１−２４０１２７号公報（第１頁右下欄第１８行−第２頁右上欄第１６行、第１−２図）
【発明の概要】
【発明が解決しようとする課題】
【０００４】
小鳥と、水との関わりは、飲水だけではない。小鳥は、羽に付いたダニなどの虫を洗い流すため、水浴を行う。本願発明者は、小鳥と、水との関わりが飲水だけではなく水浴もあることに着目して、小鳥に飲水および水浴の両方を行わせることができる便利な小鳥用給水装置の開発を行った。
【０００５】
その開発の過程で、本願発明者は、小鳥の水浴によって水トレー上の水が水タンク内に逆流してしまうため、小鳥の水浴によって水トレー上の水だけでなく水タンク内の水も汚れ、その結果、小鳥の飼い主などの小鳥用給水装置の使用者が水タンク内の水を頻繁に換えなければならず、使用者に負担がかかるという問題を発見した。
【０００６】
そこで、本発明は、使用者に過度な負担をかけることなく小鳥に飲水および水浴の両方を行わせることができる便利な小鳥用給水装置を提供することを目的とする。
【課題を解決するための手段】
【０００７】
本発明の小鳥用給水装置は、水を内部に溜めるための水タンクと、前記水タンクから供給される前記水を溜めて小鳥に飲水および水浴を行わせるための水トレーとを備え、前記水タンクは、前記水を前記水トレーに供給するための水供給用スリットが形成され、前記水供給用スリットは、長手方向に直交する方向における幅が膨らんでいる膨らみ部を有し、前記長手方向の両端の鉛直方向における位置が異なり、前記膨らみ部は、前記水供給用スリットにおいて鉛直方向における位置が上部の位置に配置されていることを特徴とする。
【０００８】
本発明の小鳥用給水装置は、小鳥が飲水や水浴を行うなどして水トレー上の水が減ったとき、水タンク内から水供給用スリットを介して水トレー上に水が供給される。水タンク内から水供給用スリットを介して水トレー上に水が供給されるためには、水タンク内から水供給用スリットを介して水トレー上に供給される水の換わりに水タンク外から水供給用スリットを介して水タンク内に空気が導入される必要がある。
【０００９】
本発明の小鳥用給水装置は、水供給用スリットにおいて鉛直方向における位置が上部の位置に膨らみ部が配置されているので、水タンク外から水供給用スリットを介して水タンク内に空気が導入されるときに、水供給用スリットで生成される気泡の上部が膨らむ。すると、水供給用スリットで生成される気泡は、上部が強い浮力によって上昇するので、水供給用スリットから離れ易い。したがって、本発明の小鳥用給水装置は、長手方向に直交する方向における水供給用スリットの幅が狭くても、水タンク外から水供給用スリットを介して水タンク内に空気が導入され易く、水タンク内から水供給用スリットを介して水トレー上に水が供給され易い。すなわち、本発明の小鳥用給水装置は、長手方向に直交する方向における水供給用スリットの幅を狭くすることができる。
【００１０】
本発明の小鳥用給水装置は、長手方向に直交する方向における水供給用スリットの幅を狭くすると、水トレー上の水が減って水タンク内から水供給用スリットを介して水トレー上に水が供給されるときに水が水供給用スリットで抵抗を受けて水タンク内から水トレー上に微少な量ずつ供給されるので、水タンク内から水供給用スリットを介して水トレー上に供給される水の流れの勢いによって水トレーの底部に沈殿している羽毛などのゴミが巻き上げられることを抑制することができ、それによって水トレー上の水中のゴミが水供給用スリットを介して水タンク内に入り込むことを抑制することができる。
【００１１】
また、本発明の小鳥用給水装置は、水トレー上の水にゴミが浮かんでいる場合であっても、水トレー上の水中のゴミのうち、水供給用スリットより大きいゴミが小鳥の水浴による水流などによって水供給用スリットを介して水タンク内に入り込むことを防止することができる。したがって、本発明の小鳥用給水装置は、長手方向に直交する方向における水供給用スリットの幅を狭くすると、水トレー上の水中の微小なゴミが水供給用スリットを介して水タンク内に入り込むことを抑制することができる。
【００１２】
また、本発明の小鳥用給水装置は、長手方向に直交する方向における水供給用スリットの幅を狭くすると、水タンク外から水供給用スリットを介して水タンク内に導入される空気も、水タンク内から水供給用スリットを介して水トレー上に供給される水と同じ微少な量ずつ導入されるので、この空気とともに水トレー上の水中のゴミを水供給用スリットを介して水タンク内に巻き込むことを抑制することができる。
【００１３】
以上に説明したように、本発明の小鳥用給水装置は、水トレー上の水中のゴミが水供給用スリットを介して水タンク内に入り込むことを抑制することができるので、水タンク内の水の交換頻度を抑えることができ、使用者にかかる負担を抑えることができる。すなわち、小鳥用給水装置は、使用者に過度な負担をかけることなく小鳥に飲水および水浴の両方を行わせることができる。
【００１４】
本発明の小鳥用給水装置の前記長手方向における前記水供給用スリットの長さは、その長さを直径とする丸穴を前記水供給用スリットと置き換えると仮定した場合に前記水タンク内の前記水が前記丸穴において表面張力によって保持される長さであることが好ましい。
【００１５】
この構成により、本発明の小鳥用給水装置は、長手方向における水供給用スリットの長さが短いので、水供給用スリットの形状が一定である場合、長手方向に直交する方向における水供給用スリットの幅も狭い。
【００１６】
本発明の小鳥用給水装置の前記水タンクは、内部に水が入れられるための水入れ口と、前記水入れ口を塞ぐ塞口部材とを有しており、前記水入れ口は、鉛直方向における位置が前記水供給用スリットより上に配置されていることが好ましい。
【００１７】
上記特許文献１に記載された小鳥用給水装置は、水タンクの内部に水が入れられるために水タンクが引っ繰り返されなければならず、更に水タンクの内部に水が入れられた後にも水タンクが正常な状態に設置されるために水タンクが再び引っ繰り返されなければならないので、使用者にとって水タンクの内部に水を入れることが大変である。しかしながら、本発明の小鳥用給水装置は、長手方向に直交する方向における水供給用スリットの幅を狭くすることができるので、鉛直方向における位置が水供給用スリットより上に配置されている水入れ口を介して水タンクの内部に水が入れられたとしても、水タンクの内部から水供給用スリットを介して水タンクの外部に出る水を微少な量に抑えることができる。そのため、本発明の小鳥用給水装置は、水タンクの内部から水供給用スリットを介して水タンクの外部に大量の水が出る前に、水入れ口が塞口部材によって塞がれる時間的な余裕が十分にあるので、水タンクの内部に水が入れられるために水タンクが引っ繰り返される必要がない。したがって、本発明の小鳥用給水装置は、使用者に過度な負担をかけることなく使用者に水タンクの内部に水を入れさせることができる。
【発明の効果】
【００１８】
本発明の小鳥用給水装置は、使用者に過度な負担をかけることなく小鳥に飲水および水浴の両方を行わせることができる。
【図面の簡単な説明】
【００１９】
【図１】本発明の第１の実施の形態に係る小鳥用給水装置の外観斜視図である。
【図２】図１に示す小鳥用給水装置の正面図である。
【図３】図１に示す小鳥用給水装置の右側面図である。
【図４】図１に示す小鳥用給水装置の平面図である。
【図５】図１に示す小鳥用給水装置の背面側から見た分解斜視図である。
【図６】図１に示す小鳥用給水装置の水タンクの板の正面図である。
【図７】図１に示す小鳥用給水装置の構成部品である２つの筒を切り出す前の筒の側面図である。
【図８】図１に示す小鳥用給水装置の側面断面図であって、水タンク内から水供給用スリットを介して水タンク外に水が落ちているときの図である。
【図９】図１に示す小鳥用給水装置の側面断面図であって、水トレーに水が溜まっているときの図である。
【図１０】図１に示す小鳥用給水装置の水トレーに溜まった水を飲んでいる小鳥を示す図である。
【図１１】図１に示す小鳥用給水装置の水トレーに溜まった水で水浴を行っている小鳥を示す図である。
【図１２】本発明の第２の実施の形態に係る小鳥用給水装置の背面側から見た分解斜視図である。
【発明を実施するための形態】
【００２０】
以下、本発明の実施の形態について、図面を用いて説明する。
【００２１】
（第１の実施の形態）
まず、本発明の第１の実施の形態に係る小鳥用給水装置の構成について説明する。
【００２２】
図１は、本実施の形態に係る小鳥用給水装置１０の外観斜視図である。図２、図３、図４は、それぞれ小鳥用給水装置１０の正面図、右側面図、平面図である。図５は、小鳥用給水装置１０の背面側から見た分解斜視図である。
【００２３】
図１〜図５に示すように、小鳥用給水装置１０は、水を供給するための水供給用スリット２０ａが下部に形成されて水を内部に溜めるための水タンク２０と、水タンク２０の内部から水供給用スリット２０ａを介して水タンク２０の外部に落下する水を溜めて小鳥に飲水および水浴を行わせるための水トレー３０とを備えている。小鳥用給水装置１０は、水タンク２０の延在方向が矢印１０ａで示す鉛直方向になるように、図示していない鳥かごに固定されるものである。なお、水トレー３０の延在方向は、水タンク２０の延在方向の延在方向とは直交している。
【００２４】
水タンク２０は、使用者が水タンク２０の内部に水を入れるための水入れ口２０ｂが上部に形成されている。水入れ口２０ｂは、矢印１０ａで示す鉛直方向における位置が水供給用スリット２０ａより上に配置されている。そして、水入れ口２０ｂは、塞口部材としての栓２３によって塞がれることが可能になっている。水タンク２０の水供給用スリット２０ａは、矢印２０ｃで示す長手方向の両端である上端２０ｅおよび下端２０ｆの矢印１０ａで示す鉛直方向における位置が異なっている。矢印２０ｃで示す長手方向における水供給用スリット２０ａの長さは、その長さを直径とする丸穴を水供給用スリット２０ａと置き換えると仮定した場合に水タンク２０内の水がその丸穴において表面張力によって保持される長さである。また、水供給用スリット２０ａは、矢印２０ｃで示す長手方向に直交する矢印２０ｄで示す方向における幅が膨らんでいる膨らみ部２０ｇを有している。
【００２５】
ここで、水タンク２０は、水入れ口２０ｂが一端に形成されて他端が傾斜している筒２１と、水供給用スリット２０ａが形成されて筒２１の他端に接着された板２２とによって構成されている。板２２は、矢印１０ａで示す鉛直方向に対して４５°傾いている。また、板２２の水供給用スリット２０ａは、矢印２０ｃで示す長手方向が矢印１０ａで示す鉛直方向に対して４５°傾いており、矢印２０ｃで示す長手方向に直交する矢印２０ｄで示す方向が矢印１０ａで示す鉛直方向に対して９０°傾いている。
【００２６】
図６は、小鳥用給水装置１０の水タンク２０の板２２の正面図である。
【００２７】
例えば、筒２１および板２２の板厚は、３ｍｍである。また、筒２１の外径は、５ｃｍである。また、板２２の水供給用スリット２０ａは、図６に示すように、矢印２０ｄで示す方向において板２２の中央に配置されており、矢印２０ｃで示す方向において上端２０ｅの位置、下端２０ｆの位置がそれぞれ板２２の下端から３６ｍｍ、１５ｍｍである。したがって、矢印２０ｃで示す長手方向における水供給用スリット２０ａの長さは、２１ｍｍである。水供給用スリット２０ａの膨らみ部２０ｇは、直径が３ｍｍの丸穴である。水供給用スリット２０ａのうち膨らみ部２０ｇ以外の部分は、矢印２０ｄで示す方向の長さが１ｍｍである。
【００２８】
図５に示すように、水トレー３０は、筒３１と、筒３１の一端に接着された板３２とによって構成されている。筒３１の他端は、板２２に対して筒２１とは反対側から板２２に接着されている。
【００２９】
例えば、筒３１および板３２の板厚は、３ｍｍである。また、筒３１は、外径が５ｃｍであって、全長が１５ｃｍである。また、板３２は、直径５ｃｍの丸板を半分にした形状である。
【００３０】
図７は、筒２１および筒３１を切り出す前の筒４０の側面図である。
【００３１】
図７に示すように、筒２１および筒３１は、破線で示した切断線４０ａ、４０ｂで１つの筒４０から切り出されるようになっている。
【００３２】
次に、小鳥用給水装置１０の機能について説明する。
【００３３】
図８は、小鳥用給水装置１０の側面断面図であって、水タンク２０内から水供給用スリット２０ａを介して水タンク２０外に水８０が落ちているときの図である。図９は、小鳥用給水装置１０の側面断面図であって、水トレー３０に水８０が溜まっているときの図である。
【００３４】
使用者が水タンク２０の栓２３を外して水タンク２０の水入れ口２０ｂから水タンク２０の内部に水８０を入れた後で水入れ口２０ｂを栓２３で塞ぐと、図８に示すように水供給用スリット２０ａの上端２０ｅ側で空気が水タンク２０外から水供給用スリット２０ａを介して水タンク２０内に気泡８５として微少な量ずつ入り続けると同時に水供給用スリット２０ａの下端２０ｆ側で水８０が水タンク２０内から水供給用スリット２０ａを介して水タンク２０外に微少な量ずつ落ち続ける。そして、図９に示すように水トレー３０上の水８０の水位が水供給用スリット２０ａの上端２０ｅに近い高さになると、水タンク２０外から水供給用スリット２０ａを介して水タンク２０内に空気が入らなくなるので、水タンク２０内から水供給用スリット２０ａを介して水タンク２０外に水８０も出なくなる。
【００３５】
図１０は、水トレー３０に溜まった水８０を飲んでいる小鳥９０を示す図である。図１０に示すように、小鳥９０は、水トレー３０に溜まった水８０を飲むことができる。なお、小鳥９０は、例えば、嘴から尾までの体長が１２ｃｍである。
【００３６】
図１１は、水トレー３０に溜まった水８０で水浴を行っている小鳥９０を示す図である。図１１に示すように、小鳥９０は、水トレー３０に溜まった水８０で水浴を行うこともできる。
【００３７】
小鳥９０が水トレー３０上の水８０を飲んだり、水トレー３０上の水８０で水浴を行ったりすると、水トレー３０上の水８０の量は減る。特に、小鳥９０が水浴を行うと、水トレー３０上の水８０は、例えば板３２の部分から溢れ出し、多量に減る。水トレー３０上の水８０の量が減って水トレー３０上の水８０の水位が下がると、水トレー３０上の水８０の水位が水供給用スリット２０ａの上端２０ｅに近い高さになるまで、水トレー３０には水タンク２０から水供給用スリット２０ａを介して再び水８０が供給される。
【００３８】
以上に説明したように、小鳥用給水装置１０は、小鳥９０が飲水や水浴を行うなどして水トレー３０上の水８０が減ったとき、水タンク２０内から水供給用スリット２０ａを介して水トレー３０上に水８０が供給される。水タンク２０内から水供給用スリット２０ａを介して水トレー３０上に水８０が供給されるためには、水タンク２０内から水供給用スリット２０ａを介して水トレー３０上に供給される水８０の換わりに水タンク２０外から水供給用スリット２０ａを介して水タンク２０内に空気が導入される必要がある。
【００３９】
小鳥用給水装置１０は、水供給用スリット２０ａにおいて矢印１０ａで示す鉛直方向における位置が上部の位置に膨らみ部２０ｇが配置されているので、水タンク２０外から水供給用スリット２０ａを介して水タンク２０内に空気が導入されるときに、水供給用スリット２０ａで生成される気泡８５の上部が膨らむ。すると、水供給用スリット２０ａで生成される気泡８５は、上部が強い浮力によって上昇するので、水供給用スリット２０ａから離れ易い。したがって、小鳥用給水装置１０は、矢印２０ｃで示す長手方向に直交する矢印２０ｄで示す方向における水供給用スリット２０ａの幅が狭くても、水タンク２０外から水供給用スリット２０ａを介して水タンク２０内に空気が導入され易く、水タンク２０内から水供給用スリット２０ａを介して水トレー３０上に水８０が供給され易い。すなわち、小鳥用給水装置１０は、矢印２０ｄで示す方向における水供給用スリット２０ａの幅を狭くすることができ、本実施の形態においても極めて狭くしている。
【００４０】
なお、小鳥用給水装置１０の矢印２０ｃで示す長手方向における水供給用スリット２０ａの長さは、その長さを直径とする丸穴を水供給用スリット２０ａと置き換えると仮定した場合に水タンク２０内の水がその丸穴において表面張力によって保持される長さである。この構成により、小鳥用給水装置１０は、矢印２０ｃで示す長手方向における水供給用スリット２０ａの長さが短いので、水供給用スリット２０ａの形状が一定である場合、矢印２０ｄで示す方向における水供給用スリット２０ａの幅も狭い。もちろん、矢印２０ｃで示す長手方向における水供給用スリット２０ａの長さは、その長さを直径とする丸穴を水供給用スリット２０ａと置き換えると仮定した場合に水タンク２０内の水がその丸穴において表面張力によって保持される長さより長くても良いが、水トレー３０上の水８０中のゴミが水供給用スリット２０ａを介して水タンク２０内に入り込むことを抑制するために、短い方が好ましい。
【００４１】
小鳥用給水装置１０は、矢印２０ｄで示す方向における水供給用スリット２０ａの幅を狭くしているので、水トレー３０上の水８０が減って水タンク２０内から水供給用スリット２０ａを介して水トレー３０上に水８０が供給されるときに水８０が水供給用スリット２０ａで抵抗を受けて水タンク２０内から水トレー３０上に微少な量ずつ供給される。したがって、小鳥用給水装置１０は、水タンク２０内から水供給用スリット２０ａを介して水トレー３０上に供給される水８０の流れの勢いによって水トレー３０の底部に沈殿している羽毛などのゴミが巻き上げられることを抑制することができ、それによって水トレー３０上の水８０中のゴミが水供給用スリット２０ａを介して水タンク２０内に入り込むことを抑制することができる。
【００４２】
また、小鳥用給水装置１０は、水トレー３０上の水８０にゴミが浮かんでいる場合であっても、水トレー３０上の水８０中のゴミのうち、水供給用スリット２０ａより大きいゴミが小鳥９０の水浴による水流などによって水供給用スリット２０ａを介して水タンク２０内に入り込むことを防止することができる。小鳥用給水装置１０は、矢印２０ｄで示す方向における水供給用スリット２０ａの幅を狭くしているので、水トレー３０上の水８０中の微小なゴミが水供給用スリット２０ａを介して水タンク２０内に入り込むことを抑制することができる。
【００４３】
また、小鳥用給水装置１０は、矢印２０ｄで示す方向における水供給用スリット２０ａの幅を狭くしているので、水タンク２０外から水供給用スリット２０ａを介して水タンク２０内に導入される空気も、水タンク２０内から水供給用スリット２０ａを介して水トレー３０上に供給される水８０と同じ微少な量ずつ導入される。したがって、小鳥用給水装置１０は、この空気とともに水トレー３０上の水８０中のゴミを水供給用スリット２０ａを介して水タンク２０内に巻き込むことを抑制することができる。
【００４４】
以上に説明したように、小鳥用給水装置１０は、水トレー３０上の水８０中のゴミが水供給用スリット２０ａを介して水タンク２０内に入り込むことを抑制することができるので、水タンク２０内の水８０の交換頻度を抑えることができ、使用者にかかる負担を抑えることができる。すなわち、小鳥用給水装置１０は、使用者に過度な負担をかけることなく小鳥９０に飲水および水浴の両方を行わせることができる。
【００４５】
なお、上記特許文献１に記載された小鳥用給水装置は、水タンクの内部に水が入れられるために水タンクが引っ繰り返されなければならず、更に水タンクの内部に水が入れられた後にも水タンクが正常な状態に設置されるために水タンクが再び引っ繰り返されなければならないので、使用者にとって水タンクの内部に水を入れることが大変である。しかしながら、小鳥用給水装置１０は、矢印２０ｄで示す方向における水供給用スリット２０ａの幅を狭くすることができるので、矢印１０ａで示す鉛直方向における位置が水供給用スリット２０ａより上に配置されている水入れ口２０ｂを介して水タンク２０の内部に水８０が入れられたとしても、水タンク２０の内部から水供給用スリット２０ａを介して水タンク２０の外部に出る水８０を微少な量に抑えることができる。そのため、小鳥用給水装置１０は、水タンク２０の内部から水供給用スリット２０ａを介して水タンク２０の外部に大量の水８０が出る前に、水入れ口２０ｂが栓２３によって塞がれる時間的な余裕が十分にあるので、水タンク２０の内部に水８０が入れられるために水タンク２０が引っ繰り返される必要がない。したがって、小鳥用給水装置１０は、使用者に過度な負担をかけることなく使用者に水タンク２０の内部に水８０を入れさせることができる。
【００４６】
なお、水８０には、酢を０．１％以上加えることが好ましい。これにより、静菌作用や殺菌作用を期待することができ、長期間、水質を維持することができる。また、水トレー３０に付いた水垢を落とすことや、水トレー３０に水垢が付くことを防止することも期待することができる。
【００４７】
（第２の実施の形態）
本発明の第２の実施の形態に係る小鳥用給水装置の構成について説明する。
【００４８】
なお、本実施の形態に係る小鳥用給水装置の構成のうち、第１の実施の形態に係る小鳥用給水装置１０（図５参照。）の構成と同様な構成については、小鳥用給水装置１０の構成と同一の符号を付して詳細な説明を省略する。
【００４９】
図１２は、本実施の形態に係る小鳥用給水装置１１０の背面側から見た分解斜視図である。
【００５０】
図１２に示すように、小鳥用給水装置１１０の構成は、小鳥用給水装置１０が水タンク２０のおよび水トレー３０（図５参照。）に代えて水タンク１２０のおよび水トレー１３０を備えた構成と同様である。
【００５１】
水タンク１２０の構成は、水入れ口２０ｂが一端に形成された筒１２１と、一端が筒１２１の他端に接着された筒１２２と、水供給用スリット２０ａが形成されて筒１２２の他端に接着された板１２３とを筒２１（図５参照。）および板２２（図５参照。）に代えて水タンク２０（図５参照。）が備えた構成と同様である。
【００５２】
板１２３は、矢印１０ａで示す鉛直方向に平行に配置されている。また、板１２３の水供給用スリット２０ａは、矢印２０ｃで示す長手方向が矢印１０ａで示す鉛直方向と同一方向であり、矢印２０ｃで示す長手方向に直交する矢印２０ｄで示す方向が矢印１０ａで示す鉛直方向に対して９０°傾いている。
【００５３】
水トレー１３０は、水トレー３０（図５参照。）が筒３１（図５参照。）に代えて筒１３１を備えた構成と同様である。筒１３１の他端は、板１２３に対して筒１２２とは反対側から板１２３に接着されている。
【００５４】
小鳥用給水装置１１０は、第１の実施の形態に係る小鳥用給水装置１０（図５参照。）と同様に機能する。
【００５５】
このように、本発明の小鳥用給水装置は、水供給用スリット２０ａの上端２０ｅおよび下端２０ｆの矢印１０ａで示す鉛直方向における位置が異なっていれば、水供給用スリット２０ａの矢印２０ｃで示す長手方向や矢印２０ｄで示す方向が何れの方向であっても、同様に機能することができる。
【符号の説明】
【００５６】
１０  小鳥用給水装置
１０ａ  矢印（鉛直方向を示す矢印）
２０  水タンク
２０ａ  水供給用スリット
２０ｃ  矢印（水供給用スリットの長手方向を示す矢印）
２０ｄ  矢印（水供給用スリットの長手方向に直交する方向を示す矢印）
２０ｅ  上端（水供給用スリットの長手方向の両端のうちの一端）
２０ｆ  下端（水供給用スリットの長手方向の両端のうちの他端）
２０ｇ  膨らみ部
２３  栓（塞口部材）
３０  水トレー
８０  水
８５  気泡
９０  小鳥
１１０  小鳥用給水装置
１２０  水タンク
１３０  水トレー
【図１】
2010178680.tif 000003
【図２】
2010178680.tif 000004
【図３】
2010178680.tif 000005
【図４】
2010178680.tif 000006
【図５】
2010178680.tif 000007
【図６】
2010178680.tif 000008
【図７】
2010178680.tif 000009
【図８】
2010178680.tif 000010
【図９】
2010178680.tif 000011
【図１０】
2010178680.tif 000012
【図１１】
2010178680.tif 000013
【図１２】
2010178680.tif 000014